(57)【要約】【課題】機能装置を構成する取り外し可能な部品の着脱を容易に行うことのできる便器装置を提供する。【解決手段】便器装置は、便器本体２の上面に載置可能であり、部屋暖房装置５０が固定された後側ベースプレート４１と、側面部１０Ａ及び側面部１０Ａに連続する上面部１０Ｂを有し、下端が開口したカバー１０とを備えている。下端開口からカバー１０内に部屋暖房装置５０及び後側ベースプレート４１を収納される。後側ベースプレート４１は、外縁部に外側に向けて開口し、部屋暖房装置５０を構成する取り外し可能なフィルターＦの挿入口４４を有している。カバー１０は、降下時に挿入口４４を隠蔽し、上昇時に挿入口４４を露出させる。【選択図】図２
2010196268.tif 000002
【特許請求の範囲】
【請求項１】
便器本体の上面に載置可能であり、機能装置が固定されたベースプレートと、側面部及び側面部に連続する上面部を有し、下端が開口したカバーとを備え、下端開口からカバー内に機能装置及びベースプレートを収納した便器装置であって、
前記ベースプレートは、外縁部に外側に向けて開口し、前記機能装置を構成する取り外し可能な部品の挿入口を有し、
前記カバーは、降下時に前記挿入口を隠蔽し、上昇時に挿入口を露出させることを特徴とする便器装置。
【請求項２】
前記挿入口は前記ベースプレートの左右外縁部に設けられていることを特徴とする請求項１記載の便器装置。
【請求項３】
前記挿入口は前記ベースプレートの外縁部の前部に設けられていることを特徴とする請求項１又は２記載の便器装置。
【請求項４】
前記ベースプレートは、外縁部から上方に立ち上がる側壁を有し、側壁に前記挿入口が設けられていることを特徴とする請求項１乃至３のいずれか１項記載の便器装置。
【請求項５】
前記ベースプレートは、前記便器本体の上面に固定可能な後側ベースプレートと、後側ベースプレートに対して昇降可能に取り付けられ、前記カバーが固定される前側ベースプレートとからなり、前記挿入口は後側ベースプレートに設けられていることを特徴とする請求項１乃至４のいずれか１項記載の便器装置。
【請求項６】
前記側壁は、前記カバーの昇降を案内することを特徴とする請求項４又は５記載の便器装置。
【発明の詳細な説明】
【技術分野】
【０００１】
本発明は便器装置に関する。
【背景技術】
【０００２】
特許文献１には、従来の便器装置が開示されている。この便器装置は、便器本体の上面に載置され、洗浄タンク等を載置するベースプレートと、洗浄タンク等を収納するカバーとを備えている。ベースプレートは便器本体の上面に固定された後側ベースプレート及び後側ベースプレートに対して昇降可能に取り付けられた前側ベースプレートから構成されている。前側ベースプレートは、下面に開口し、脱臭カートリッジを収納する凹部を有している。脱臭カートリッジは脱臭装置を構成する取り外し可能な部品である。開口には蓋部材が設けられている。蓋部材には脱臭カートリッジを保持する保持部が設けられている。
【０００３】
この便器装置では、脱臭カートリッジを交換する際、前側ベースプレートを上昇させ、前側ベースプレートの下面の開口の蓋部材を開けることにより、蓋部材に保持された脱臭カートリッジを凹部から取り出し、交換することができる。また、新しい脱臭カートリッジを蓋部材に保持させ、蓋部材を閉めることにより、新しい脱臭カートリッジを凹部に収納することができる。前側ベースプレートの下面に蓋部材等が設けられているため、蓋部材等を使用者等に視認され難く、便器装置の見栄えをよくすることができる。また、便器装置の清掃が容易であるとともに、脱臭カートリッジの持ち去り等の悪戯や破壊等を受けることを防止することができる。
【先行技術文献】
【特許文献】
【０００４】
【特許文献１】特開２００４−３２４１６８号公報
【発明の概要】
【発明が解決しようとする課題】
【０００５】
しかし、従来の便器装置では、便器本体の上面と上昇した前側ベースプレートの下面との間の隙間から脱臭カートリッジを蓋部材から取り外したり、蓋部材に保持させたりしなければならない。この際、蓋部材を視認し難いため、手探りで蓋部材を開閉させ、蓋部材に対して脱臭カートリッジを着脱しなければならない。このため、脱臭カートリッジの交換がし難い。また、脱臭カートリッジを交換するには、蓋部材を開閉する段階と、脱臭カートリッジを蓋部材に着脱保持させる段階の２段階が必要である。このため、脱臭カートリッジの交換に手間を要する。
【０００６】
本発明は、上記従来の実情に鑑みてなされたものであって、機能装置を構成する取り外し可能な部品の着脱を容易に行うことのできる便器装置を提供することを解決すべき課題としている。
【課題を解決するための手段】
【０００７】
本発明の便器装置は、便器本体の上面に載置可能であり、機能装置が固定されたベースプレートと、側面部及び側面部に連続する上面部を有し、下端が開口したカバーとを備え、下端開口からカバー内に機能装置及びベースプレートを収納した便器装置であって、
前記ベースプレートは、外縁部に外側に向けて開口し、前記機能装置を構成する取り外し可能な部品の挿入口を有し、
前記カバーは、降下時に前記挿入口を隠蔽し、上昇時に挿入口を露出させることを特徴とする。
【０００８】
この便器装置では、ベースプレートに固定された機能装置の取り外し可能な部品の挿入口をカバーにより、隠蔽したり、露出させたりすることができる。つまり、カバーを降下させた状態（便器装置の通常使用状態）では挿入口を隠蔽し、カバーを上昇させた状態では挿入口を露出させることができる。露出した挿入口は、ベースプレートの外縁部に外側に向けて開口している。このため、機能装置の取り外し可能な部品を便器装置の外側方向に引き出したり、外側から挿入口に部品を挿入したりすることが容易に行うことができる。また、この際、機能装置の取り外し可能な部品の外側端部に設けられた把持部を挿入口に露出するように取り付けることができるため、部品の着脱を直接的に行うことができる。
【０００９】
したがって、本発明の便器装置は、機能装置を構成する取り外し可能な部品の着脱を容易に行うことができる。
【００１０】
また、便器装置は、通常、カバーを最も下降させた位置に降下させた状態で使用されるため、この状態では、挿入口及び機能装置の取り外し可能な部品がカバーにより隠蔽される。このため、便器装置は、側面部に凹凸のない、すっきりとした形状にすることができ、見栄えをよくすることができる。
【００１１】
前記挿入口は前記ベースプレートの左右外縁部に設けられ得る。通常、便器装置が載置される便器本体は、後端部をトイレ室の壁面に近接させて設置されることが多い。この場合、便器装置の後外縁部もトイレ室の壁面に近接するため、ベースプレートの左右外縁部に挿入口が設けられた方が機能装置の取り外し可能な部品の着脱を容易に行うことができる。
【００１２】
前記挿入口は前記ベースプレートの外縁部の前部に設けられ得る。通常、便器装置が載置される便器本体は、前方側にスペースを有してトイレ室内に設置されることが多い。この場合、機能装置の取り外し可能な部品を着脱する作業者は、便器本体の前方から作業を行うことになり、ベースプレートの外縁部の前部に挿入口が設けられた方が機能装置の取り外し可能な部品の着脱を容易に行うことができる。
【００１３】
前記ベースプレートは、外縁部から上方に立ち上がる側壁を有し、側壁に前記挿入口が設けられ得る。この場合、ベースプレートの下面よりも上方位置に挿入口を設けることができる。また、挿入口を上下方向に大きくすることができるため、機能装置の取り外し可能な部品の外側端部に設けられた把持部も大きくすることができる。このため、把持部を容易に摘まむことができ、機能装置の取り外し可能な部品の着脱を容易に行うことができる。
【００１４】
前記ベースプレートは、前記便器本体の上面に固定可能な後側ベースプレートと、後側ベースプレートに対して昇降可能に取り付けられ、前記カバーが固定される前側ベースプレートとからなり、前記挿入口は後側ベースプレートに設けられ得る。この場合、前側ベースプレートともにカバーを昇降させることにより、後側ベースプレートに設けられた挿入口を隠蔽したり、露出させたりすることができる。このため、カバーの昇降をスムーズに行うことができ、挿入口を露出させて機能装置の取り外し可能な部品の着脱を容易に行うことができる。
【００１５】
前記側壁は、前記カバーの昇降を案内し得る。この場合、カバーの昇降をさらにスムーズに行うことができ、挿入口を露出させて機能装置の取り外し可能な部品の着脱を容易に行うことができる。
【図面の簡単な説明】
【００１６】
【図１】実施例の水洗式便器の右側面図である。
【図２】実施例の水洗式便器の要部右側面図である。
【図３】実施例の水洗式便器の右側要部斜視図である。
【図４】実施例の水洗式便器の要部左側面図である。
【図５】実施例の水洗式便器の右側要部斜視図である。
【発明を実施するための形態】
【００１７】
本発明の便器装置が取り付けられた水洗式便器を具体化した実施例を図面を参照しつつ説明する。
【実施例】
【００１８】
実施例の水洗式便器は、図１及び図２示すように、便器本体２と、便器本体２の上面２Ｔに載置された便器装置１とを有している。便器装置１は、後側ベースプレート４１、前側ベースプレート４２及びカバー１０を備えている。
【００１９】
後側ベースプレート４１は便器本体２の上面２Ｔにボルト締めされ、固定されている。後側ベースプレート４１には、便器洗浄装置、部屋暖房装置５０、スピーカー６１を有する音楽再生装置６０及び昇降装置７０等の機能装置が固定されている。後側ベースプレート４１の左右外縁部の下面には、化粧板３０が取り付けられている。化粧板３０は、便器本体２の左右側面の後方を被覆し、便器本体２の後部に配置される便器洗浄装置等を隠蔽している。また、化粧板３０の上部には、前後方向に延びる複数のスリット孔３１が前後及び上下に複数個ずつ整列して設けられている。スリット孔３１の内側には、部屋暖房装置５０の温風吹出し口５１及び音楽再生装置６０のスピーカー６１が配置されている。
【００２０】
前側ベースプレート４２は、後側ベースプレート４１に固定された昇降装置７０に取り付けられている。前側ベースプレート４２には、局部洗浄装置８０、局部乾燥装置、ＬＥＤを用いた照明装置等の機能装置及び各機能装置を制御する制御板９０が固定されている。前側ベースプレート４２及び前側ベースプレート４２に固定された各種機能装置は、後側ベースプレート４１に対し昇降可能である。つまり、前側ベースプレート４２及び前側ベースプレート４２に固定された各種機能装置は、便器本体２の上面２Ｔから設定距離上方までの間を昇降可能である。
【００２１】
カバー１０は、側面部１０Ａ及び側面部１０Ａに連続する上面部１０Ｂを有し、下端が開口している。前側の側面部１０Ａは、前方に向けて下り勾配の傾斜面に形成されており、便蓋２０及び便座２１の支持部１１が上方に突出して設けられている。便蓋２０及び便座２１は、支持部１１に回動自在に軸支されている。カバー１０は前側ベースプレート４２にビスＢにより固定されている。このため、カバー１０も、前側ベースプレート４２とともに、後側ベースプレート４１に対し昇降可能であり、便器本体２の上面２Ｔから設定距離上方までの間を昇降可能に設けられている。カバー１０は前側ベースプレート４２とともに昇降するので、スムーズに昇降することができる。
【００２２】
カバー１０を最も下降させた位置（通常の便器装置の使用位置）に降下させた際、カバー１０の下端開口からカバー１０内に各ベースプレート４１、４２に固定された各種機能装置及び各ベースプレート４１、４２が収納される。このため、各種機能装置及び各ベースプレート４１、４２が隠蔽され、便器装置１の側面部が凹凸のない、すっきりとした形状にすることができ、見栄えをよくすることができる。
【００２３】
後側ベースプレート４１は、図２〜図５に示すように、左右外縁部の後部に上方に立ち上がる左右側壁４３Ｓと、左右側壁４３Ｓの後端部に連続し、後側ベースプレート４１の後外縁部の上方に立ち上がる後側壁４３Ｂとを有している。左右側壁４３Ｓの前端部には、後側ベースプレート４１の上面から立ち上がり、内側に延びる前側壁４３Ｆが設けられている。左右側壁４３Ｓ及び後側壁４３Ｂは、カバー１０の昇降時にカバー１０の側面部１０Ａの内面が摺動し、昇降を案内している。このため、カバー１０の昇降がスムーズに行われる。
【００２４】
便器本体２の前方から向かって右側に位置する右側壁４３Ｓの前部には、図２及び図３に示すように、外側に向けて開口する部屋暖房装置５０のフィルターＦの第１挿入口４４が設けられている。第１挿入口４４は、右側壁４３Ｓと前側壁４３Ｆとの角部に設けられているため、前側に向けても開口している。フィルターＦは、部屋暖房装置５０を構成する取り外し可能な部品であり、定期的に取り外され、掃除されるものである。挿入口４４の奥側には、スリット状に開口した第２挿入口４５が後側ベースプレート４１の上面に設けられている。
【００２５】
部屋暖房装置５０はファン５２を有している。ファン５２は、上流側に吸気路５３が形成され、後側ベースプレート４１に設けられた吸気口５４に連通している。また、ファン５２は、下流側に排気路５５が形成され、右外側に向けて開口する温風吹出し口５１に連通している。
【００２６】
フィルターＦは、網部５６を有する平板状の枠部５７と、枠部５７の一端部に設けられ、上方に立ち上がる把持部５８とを有している。フィルターＦは、把持部５８の上端から延び、枠部５７の上面に連結される傾斜片５８Ａが設けられている。把持部５８と傾斜片５８Ａとの間は前後方向に貫通する空間５８Ｓが形成されている。枠部５７の把持部５８側の側部には、案内片５７Ａが張り出して形成されている。案内片５７Ａは、第２挿入口４５に挿入される際に、第２挿入口４５の内側面に当接し、枠部５７が後側ベースプレート４１の後部へずれるように案内する。これにより、網部５６が吸気口５４の上方の適正位置に配置される。また、把持部５８側の枠部５７には、コ字状に切欠き溝を設け弾性片５９が形成されている。弾性片５９の先端には、凸部５９Ａが設けられている。凸部５９Ａは、フィルターＦが適正位置に挿入された際、第２挿入口４５内の上面に設けられた凹部５９Ｂに係合する。これにより、フィルターＦがずれて装着されてしまうことを防止している。
【００２７】
第１挿入口４４が右側壁４３Ｓに設けられているため、上下方向に大きく形成されている。このため、フィルターＦの把持部５８も大きく形成することができ、フィルターＦの着脱を容易にすることができる。また、フィルターＦは、第１挿入口４４及び第２挿入口４５に挿入され、適正位置に配置されると、把持部５８の外側面は右側壁４３Ｓの外側面と略面一となる。このため、カバー１０を右側壁４３Ｓに沿って、スムーズに昇降させることができ、把持部５８はカバー１０の側面部１０Ａに隠蔽することができる。また、カバー１０を上昇させると把持部５８が露出する。第１挿入口４４は、前方にも開口しているため、フィルターＦの空間５８Ｓに指先を挿入するようにして、把持部５８を摘まむことができる。このため、フィルターＦの着脱を直接的、かつ容易に行うことができる。また、第１挿入口４４は、右側壁４３Ｓの前部（右側壁４３Ｓと前側壁４３Ｆとの角部）に設けられているため、便器本体２の前方からフィルターＦの着脱を容易に行うことができる。
【００２８】
便器本体２の前方から向かって左側に位置する左側壁４３Ｓの前部には、図４及び図５に示すように、外側に向けて開口する音楽再生装置６０のカード型のメモリーＭの第３挿入口４６が設けられている。メモリーＭは、音楽再生装置６０を構成する取り外し可能な部品であり、水洗式便器の使用者等が好みの音楽等を記憶させるために取り外し可能に設けられている。挿入口４６の奥側には、音楽再生装置６０の本体に形成されたスリット状に開口した第４挿入口４７が設けられている。メモリーＭは一端部に設けられた把持部６２を有している。
【００２９】
メモリーＭは、第３挿入口４６及び第４挿入口４７に挿入され、適正位置に配置されると、把持部６２の外側面は左側壁４３Ｓの外側面と略面一となる。このため、カバー１０を左側壁４３Ｓに沿って、スムーズに昇降させることができ、把持部６２はカバー１０の側面部１０Ａに隠蔽することができる。また、カバー１０を上昇させると把持部６２が露出し、把持部６２を摘まんでメモリーＭの着脱を直接的、かつ容易に行うことができる。また、左側壁４３Ｓの前部に第３挿入口４６が設けられているため、便器本体２の前方からメモリーＭの着脱を容易に行うことができる。
【００３０】
このように実施例の水洗式便器は、部屋暖房装置５０を構成する取り外し可能なフィルターＦ及び音楽再生装置６０を構成するメモリーＭの着脱を容易に行うことができる。
【００３１】
本発明は、上記記述及び図面によって説明した実施例に限定されるものではなく、例えば次のような実施例も本発明の技術的範囲に含まれる。
（１）実施例の挿入口は左右側壁に設けられていたが、後側壁に設けてもよい。
（２）実施例のカバーは前側ベースプレートに固定され、前側ベースプレートともに昇降したが、カバーをベースプレートに固定せず、カバーのみを昇降させてもよい。
（３）カバー等の昇降装置は、電動式でも手動式でも良い。
（４）便器装置は既存の便器洗浄装置を有する水洗式便器に取り付けられるものであってもよい。この場合、便器洗浄装置をベースプレートに固定しなくてもよい。
【産業上の利用可能性】
【００３２】
本発明は水洗式便器及び便器本体に取り付けられる局部洗浄装置に利用可能である。
【符号の説明】
【００３３】
１…便器装置
２…便器本体
２Ｔ…（便器本体の）上面
１０…カバー
１０Ａ…側面部
１０Ｂ…上面部
４１、４２…ベースプレート（４１…後側ベースプレート、４２…前側ベースプレート）
４３Ｓ…左右側壁
４４…第１挿入口
４６…第３挿入口
５０、６０、７０、８０…機能装置（５０…部屋暖房装置、６０…音楽再生装置、７０…昇降装置、８０…局部洗浄装置）
【図１】
2010196268.tif 000003
【図２】
2010196268.tif 000004
【図３】
2010196268.tif 000005
【図４】
2010196268.tif 000006
【図５】
2010196268.tif 000007